(57)【特許請求の範囲】
【請求項１】
合成樹脂から成る複数の筬前成形品を互いに連結することにより、左右方向に延びるように構成され、鍵の前端部に係合するフロントピンを立設した状態に保持する鍵盤楽器の筬前であって、
前記複数の筬前成形品の各々は、
左右方向に延び、複数のフロントピンが立設される本体部と、
この本体部の左右の少なくとも一方の端部から突出するように設けられ、隣り合う前記筬前成形品同士を連結するために、互いに重なりかつ接した状態でねじ止めされる連結部と、
を備え、
前記隣り合う筬前成形品の連結部には、互いに接する接触面の少なくとも一方に、外部から接着剤を流入させるための溝が形成されていることを特徴とする鍵盤楽器の筬前。
【請求項２】
前記隣り合う筬前成形品の一方の本体部と、他方の連結部との間には、接着剤が注入される隙間が画成され、
前記溝は、前記隙間に連通するように構成されていることを特徴とする請求項１に記載の鍵盤楽器の筬前。
【請求項３】
前記筬前成形品は、１オクターブに対応するように構成されていることを特徴とする請求項１または２に記載の鍵盤楽器の筬前。
【発明の詳細な説明】
【技術分野】
【０００１】
本発明は、電子ピアノなどの鍵盤楽器に適用され、鍵の前端部に係合するフロントピンを立設した状態に保持する鍵盤楽器の筬前に関する。
【背景技術】
【０００２】
従来、ピアノの筬前には、フロントピンをしっかりと固定した状態に立設可能な良質な木材（例えばカエデ）が採用されていた。しかし、そのような良質な木材は、高価であり、しかも近年、入手が困難になってきているため、特に、電子ピアノでは、木材に変えて、合成樹脂製の筬前が採用されることがある（特許文献１参照）。
【０００３】
筬前は、左右方向に並設された多数（例えば８８個）の鍵を支持するために、左右方向に長く延びているものであるので、このような筬前を単一の成形品で構成しようとすると、それを製造するための金型が高価になり、また、取り扱いや管理が煩雑になる。このため、一般に、筬前全体の長さよりも短い寸法を有する複数の成形品（以下「筬前成形品」という）を製造し、それらを互いに連結することによって、筬前が構成される。またこの場合、互いに連結される筬前成形品は、端部同士を合いじゃくりによって接ぎ合わせ、両筬前成形品のフロントピンの間隔が適正な間隔になるよう位置決めした状態で、ねじで共締めされる。
【先行技術文献】
【特許文献】
【０００４】
【特許文献１】特開２００８−１８５９１６号公報
【発明の概要】
【発明が解決しようとする課題】
【０００５】
上記のように、複数の筬前成形品を連結して構成される筬前を備えた電子ピアノでは、その設置環境の気温によっては、筬前が熱膨張したり、熱収縮したりすることがある。特に、各筬前成形品が熱収縮すると、隣り合う筬前成形品の互いに隣接するフロントピンの間隔が広がってしまい、その結果、それらのフロントピンに係合する鍵同士の隙間が、他の鍵同士の隙間に比べて大きくなり、鍵盤の外観が損なわれてしまう。このような不具合を回避するために、電子ピアノの製造時において、複数の筬前成形品を連結し、筬前を構成した後、隣り合う筬前成形品の隙間に外部から接着剤を注入する。これにより、隣り合う筬前成形品の端部同士が接着され、熱収縮による両筬前成形品のフロントピン間の間隔の広がりが抑制される。
【０００６】
上記のような接着では、隣り合う筬前成形品の端面同士は接着されるものの、両筬前成形品の重なり合った接触面を十分に接着させることができないことがある。もちろん、共締めしたねじを一旦緩め、両筬前成形品の接触面間に隙間を確保し、その隙間に接着剤を行き渡らせるようにすることも可能である。しかしこの場合、すでに位置決めした状態で共締めされている筬前成形品のねじを緩めたり、接着剤の注入後、隣り合う筬前成形品を再度、位置決めしてねじを締め直したりする必要があり、筬前成形品同士を接着するための作業が煩雑で、手間がかかってしまう。
【０００７】
本発明は、以上のような課題を解決するためになされたものであり、筬前成形品同士をより強固に接着することができるとともに、その接着作業を迅速に行うことが可能な鍵盤楽器の筬前を提供することを目的とする。
【課題を解決するための手段】
【０００８】
上記の目的を達成するために、請求項１に係る発明は、合成樹脂から成る複数の筬前成形品を互いに連結することにより、左右方向に延びるように構成され、鍵の前端部に係合するフロントピンを立設した状態に保持する鍵盤楽器の筬前であって、複数の筬前成形品の各々は、左右方向に延び、複数のフロントピンが立設される本体部と、この本体部の左右の少なくとも一方の端部から突出するように設けられ、隣り合う筬前成形品同士を連結するために、互いに重なりかつ接した状態でねじ止めされる連結部と、を備え、隣り合う筬前成形品の連結部には、互いに接する接触面の少なくとも一方に、外部から接着剤を流入させるための溝が形成されていることを特徴とする。
【０００９】
この構成によれば、合成樹脂から成る複数の筬前成形品を互いに連結することにより、左右方向に延びる筬前が構成される。各筬前成形品は、複数のフロントピンが立設される本体部、および本体部の左右の少なくとも一方の端部から突出する連結部を備えており、隣り合う筬前成形品の連結部が、互いに重なりかつ接した状態でねじ止めされる。また、それらの筬前成形品の連結部には、互いに接する接触面の少なくとも一方に、外部から接着剤を流入するための溝が形成されている。したがって、隣り合う筬前成形品同士を、連結部を介してねじ止めした後であっても、連結部に形成された溝に接着剤を流入することにより、両筬前成形品の連結部同士を、強固に接着することができる。また、その接着作業の際に、ねじ止めされているねじを緩める必要が無く、接着作業を迅速に行うことができる。
【００１０】
請求項２に係る発明は、請求項１に記載の鍵盤楽器の筬前において、隣り合う筬前成形品の一方の本体部と、他方の連結部との間には、接着剤が注入される隙間が画成され、溝は、隙間に連通するように構成されていることを特徴とする。
【００１１】
この構成によれば、筬前成形品の一方の本体部と他方の連結部との間に画成された隙間に、前記溝が連通しているので、上記の隙間に接着剤を注入することにより、その注入された接着剤を、連結部に形成された溝に容易に流入させることができる。
【００１２】
請求項３に係る発明は、請求項１または２に記載の鍵盤楽器の筬前において、筬前成形品は、１オクターブに対応するように構成されていることを特徴とする。
【００１３】
この構成によれば、鍵盤楽器の機種が異なる場合でも、機種に応じて、必要な数の筬前成形品を連結することにより、その機種に対応する筬前を容易に構成することができる。
【図面の簡単な説明】
【００１４】
【図１】本発明の一実施形態による筬前を適用した電子ピアノの鍵盤装置を、一部を切り欠いた状態で示す側面図である。
【図２】筬前成形品を示す斜視図であり、（ａ）および（ｂ）はそれぞれ、２つの筬前成形品を連結した状態、および分離した状態を示している。
【図３】互いに連結された２つの筬前成形品を下方から見たときの状態である。
【発明を実施するための形態】
【００１５】
以下、図面を参照しながら、本発明の好ましい実施形態を詳細に説明する。図１は、本発明の一実施形態による筬前を適用した電子ピアノの鍵盤装置を、離鍵状態において示している。
【００１６】
同図に示すように、鍵盤装置１は、電子ピアノの左右方向（図１の表裏方向）に並んだ多数の鍵２（白鍵２ａおよび黒鍵２ｂを各１つのみ図示）と、これらの鍵２を支持する鍵盤シャーシ３と、この鍵盤シャーシ３の後端部（図１の右端部）に連結されたハンマーサポート４と、鍵２ごとに設けられ、押鍵された鍵２に連動して回動する多数のハンマー５（１つのみ図示）と、ハンマー５ごとに設けられ、鍵２の押鍵時にレットオフ感を付与するための多数のレットオフ部品６（１つのみ図示）と、鍵２の押鍵情報を検出するための鍵スイッチ７などで構成されている。
【００１７】
鍵盤シャーシ３は、左右方向に延びる前レール９ａ、中レール９ｂおよび後レール９ｃから成る３本の支持レール９と、前後方向に延びる５本の補強用のリブ１０とを、井桁状に組み立てたものであり、棚板（図示せず）上に固定されている。これらの支持レール９およびリブ１０はいずれも、プレスによる打抜きおよび折曲げ加工によって所定の形状に形成された鉄板で構成されている。支持レール９の板厚は、その軽量化のためにより薄く（例えば１．０ｍｍ）、リブ１０の板厚は、補強のためにより厚く（例えば１．６ｍｍ）設定されている。
【００１８】
前レール９ａの下面および中レール９ｂの上面にはそれぞれ、筬前１１および筬中１２が固定されている。筬前１１および筬中１２は、合成樹脂から成る肉厚の板状のものであり、前レール９ａおよび中レール９ｂの全体にわたって左右方向に延びている。筬中１２には、白鍵２ａおよび黒鍵２ｂに対応する前後の位置に、多数のバランスピン１３が、左右方向に並んだ状態で立設されている。また、筬前１１には、白鍵２ａおよび黒鍵２ｂに対応する前後の位置に、多数のフロントピン１４が、左右方向に並んだ状態で立設されている。
【００１９】
鍵２は、前後方向に延びるとともに矩形状の横断面を有する木製の鍵本体１５と、その前部の上面および前面に接着された合成樹脂製の鍵カバー１６で構成されている。鍵本体１５の中心よりも後ろ側には、バランスピン孔１７が形成されており、鍵２は、このバランスピン孔１７を介して、バランスピン１３に揺動自在に支持されている。また、鍵本体１５の前端部には、フロントピン孔１８が形成されており、このフロントピン孔１８がフロントピン１４に係合することによって、鍵２が回動する際の左右方向のぶれが防止される。
【００２０】
ハンマーサポート４は、合成樹脂で構成され、例えば１オクターブ分の複数の成形品を互いに連結したものであり、すべてのハンマー５にわたるように左右方向に延びており、鍵盤シャーシ３の後レール９ｃにねじ止めされている。ハンマーサポート４は、この後レール９ｃ付近から直立するハンマー支持部１９と、その上端部から前方に斜め上がりに延びるスイッチ取付部２０などで構成されている。ハンマー支持部１９の上端部には、各ハンマー５を支持するための水平なピン状の支点軸部２１が形成されている。
【００２１】
ハンマー５は、前後方向に延びるアーム状のハンマー本体２２と、その左右の側面の前端部に取り付けられた錘板２３（１つのみ図示）を有する。ハンマー本体２２は合成樹脂で構成され、錘板２３は、比重が比較的大きな鉄などの金属材料で構成されている。ハンマー本体２２の後端部には、円弧状の軸穴２４が形成されており、ハンマー５は、この軸穴２４が支点軸部２１に係合することによって、ハンマーサポート４に回動自在に支持されている。
【００２２】
また、ハンマー本体２２の下面には、軸穴２４のすぐ前側の位置に、キャプスタンスクリュー２５が進退自在にねじ込まれている。ハンマー５は、このキャプスタンスクリュー２５を介して、鍵２の後端部に載置されている。また、ハンマー本体２２の上面の軸穴２４とキャプスタンスクリュー２５との間の部分は、押鍵時に鍵スイッチ７を作動させるためのアクチュエータ部２６になっている。さらに、ハンマー本体２２の上面の前後方向の中央には、押鍵時にレットオフ部品６に係合する板状の係合突起２７が設けられている。
【００２３】
レットオフ部品６は、所定の弾性材料（例えば、スチレン系の熱可塑性エラストマーなど）の成形品で構成されており、ハンマーサポート４のスイッチ取付部２０に取り付けられている。レットオフ部品６は、スイッチ取付部２０から後ろ下がりに斜めに延びており、その先端部には、くびれ部を介して頭部２８が形成されている。この頭部２８は、離鍵状態において、ハンマー５の係合突起２７に対向している。
【００２４】
また、鍵スイッチ７は、プリント基板から成るスイッチ基板２９と、このスイッチ基板２９の下面に、鍵２ごとに設けられたゴムスイッチから成るスイッチ本体３０で構成されている。スイッチ基板２９は、その後端部がスイッチ取付部２０に差し込まれるとともに、前端部および中央部がスイッチ取付部２０にねじ止めされている。また、スイッチ本体３０は、離鍵状態において、ハンマー５のアクチュエータ部２６に若干の間隔をもって対向している。さらに、スイッチ取付部２０の下面の前端部には、ハンマー５の上方への回動を規制する、発泡ウレタンなどで構成されたハンマーストッパ３１が設けられている。
【００２５】
次に、上記構成の鍵盤装置１の動作について説明する。図１に示す離鍵状態から鍵２が押鍵されると、鍵２は、バランスピン１３を中心として、同図の反時計方向に回動し、それに伴い、ハンマー５は、キャプスタンスクリュー２５を介して押し上げられ、支点軸部２１を中心として、上方（同図の時計方向）に回動する。
【００２６】
このハンマー５の回動の途中で、その係合突起２７が、レットオフ部品６の頭部２８に係合し、頭部２８を介してレットオフ部品６を圧縮させながら押圧することにより、レットオフ部品６からハンマー５に作用する反力が増大する。ハンマー５の回動が進むと、係合突起２７が頭部２８から外れることで、レットオフ部品６からの反力が急激に消失する。このようなレットオフ部品６の反力の増大と消失によって、アコースティックピアノに近似したレットオフ感が得られる。
【００２７】
その後、ハンマー５がハンマーストッパ３１に当接することによって、ハンマー５の上方への回動が終了する。また、ハンマー５の上方への回動の間、そのアクチュエータ部２６が鍵スイッチ７のスイッチ本体３０を押圧し、鍵スイッチ７をＯＮすることによって、ハンマー５の回動量に応じた鍵２の押鍵情報が検出され、発音制御装置（図示せず）に出力される。そして、この発音制御装置により、検出された押鍵情報に基づいて、電子ピアノの発音が制御される。
【００２８】
その後、鍵２が離鍵されると、鍵２は押鍵時と反対方向に回動し、図１に示す離鍵状態に復帰し、それに伴い、ハンマー５も、下方に回動し、離鍵状態に復帰する。
【００２９】
次に、本発明に係る鍵盤楽器の筬前について、詳細に説明する。図２は、筬前１１の一部を構成する２つの筬前成形品５１、５１を示している。各筬前成形品５１は、所定の合成樹脂（例えばポリスチレンなど）で構成されている。図２に示すように、筬前成形品５１は、横長に形成されており、フロントピン１４を固定するための複数のピン孔５２ａを有する本体部５２と、この本体部５２の左右端部からそれぞれ突出するように設けられ、隣り合う筬前成形品５１、５１同士を連結するための左連結部５３および右連結部５４とで構成されている。
【００３０】
本体部５２の前端部には、白鍵２ａ用のフロントピン１４を、その下端部が圧入された状態で立設するための７つのピン孔５２ａが、左右方向に所定間隔ごとに形成されている。一方、本体部５２の後端部には、黒鍵２ｂ用のフロントピン１４を、白鍵２ｂのそれと同様にして立設するための５つのピン孔５２ａが、左右方向に所定間隔ごとに形成されている。つまり、各筬前成形品５１は、１オクターブに対応するように構成されている。
【００３１】
左右の連結部５３、５４は、互いに相補的な平面形状を有し、上下方向の半部が切り欠かれた状態に形成されている。具体的には、左連結部５３では、上半部が切り欠かれる一方、右連結部５４では、下半部が切り欠かれている。また、左連結部５３の前端部および後端部にはそれぞれ、ねじ孔５３ａ、５３ａが形成され、右連結部５４には、上記の両ねじ孔５３ａ、５３ａに対応するように、前後２つのねじ止め用の孔５４ａ、５４ａが形成されている。
【００３２】
また、左連結部５３の上面には、左右方向に延びる複数（本実施形態では４つ）の溝５５が形成されている。各溝５５は、左連結部５３の左方および上方に開放するように形成されている。なお、左連結部５３の上面の溝５５以外の部分、および右連結部５４の下面全体は、平らに構成されている。
【００３３】
以上のように構成された筬前成形品５１は、複数の筬前成形品５１が互いに連結されることによって、左右方向に延びる筬前１１を構成する。具体的には、隣り合う筬前成形品５１、５１の一方の右連結部５４と他方の左連結部５３を、それぞれ上下に重ね合わせるとともに、ねじ止め用の孔５４ａ、５４ａとねじ孔５３ａ、５３ａを合致させ、ねじ５６、５６によって固定する。つまり、隣り合う筬前成形品５１、５１は、左右の連結部５３、５４が合いじゃくりで接ぎ合わされた状態で、２つのねじ５６、５６で共締めされる。なおこの場合、両筬前成形品５１、５１は、それぞれの互いに隣接するフロントピン１４、１４間の距離が適正になるよう、位置決めされた状態で、連結される。
【００３４】
また、上記のように筬前成形品５１、５１同士が連結された状態では、図３に示すように、左側の筬前成形品５１の本体部５２の右端面と、右側の筬前成形品５１の左連結部５３の左端面との間に、所定幅（例えば１〜２ｍｍ）の隙間５７が生じる。そして、両筬前成形品５１、５１を、強固に連結するために、上記の隙間５７に、所定の接着剤（例えばメチレンクロライドなど）を注入する。この場合、右側の筬前成形品５１の左連結部５３の各溝５５が、隙間５７に連通するので、その隙間５７に注入された接着剤は、右側の筬前成形品５１の各溝５５に流入する。これにより、両筬前成形品５１、５１同士が、左右の連結部５３、５４を介して、強固に接着される。なお、筬前成形品５１の構成材料である合成樹脂の成分、および接着剤の成分によっては、両筬前成形品５１、５１の接着剤が付着した部分が溶け、両筬前成形品５１、５１が溶着した状態で連結される。
【００３５】
以上詳述したように、本実施形態によれば、隣り合う筬前成形品５１、５１同士を左右の連結部５３、５４を介してねじ止めした状態であっても、連結部５３に形成された溝５５に接着剤を流入させることができ、それにより、両筬前成形品５１、５１の左右の連結部５３、５４同士を、強固に接着することができる。これにより、筬前成形品５１が熱収縮するような環境に電子ピアノが設置される場合であっても、隣り合う筬前成形品５１、５１の隣接するフロントピン１４、１４間が拘束され、それらの間隔の広がりを、十分に抑制することができる。その結果、それらのフロントピン１４、１４に係合する鍵２、２同士の間隔を適切に保つことができ、鍵盤の外観を良好に維持することができる。
【００３６】
また、上記の接着作業の際に、ねじ止めされているねじ５６、５６を緩める必要が無く、接着作業を迅速に行うことができる。また、筬前成形品５１は、１オクターブに対応するように構成されているので、鍵盤楽器の機種に応じて、必要な数の筬前成形品５１を互いに連結することにより、その機種に対応する筬前１１を容易に構成することができる。
【００３７】
なお、本発明は、説明した上記実施形態に限定されることなく、種々の態様で実施することができる。実施形態では、筬前成形品５１の左連結部５３の上面に、接着剤を流入させるための溝５５を形成したが、これに代えて、あるいはこれに加えて、筬前成形品５１の右連結部５４の下面に上記溝５５と同様の溝を形成してもよい。また、溝５５の数、形状および配置位置などは、上記実施形態に限定されることなく、種々のものが採用可能である。さらに、実施形態では、複数の筬前成形品５１を連結した筬前１１を、電子ピアノに適用した場合について説明したが、アコースティックなグランドピアノやアップライトピアノに適用することも可能である。また、実施形態で示した筬前成形品５１の細部の構成などは、あくまで例示であり、本発明の趣旨の範囲内で適宜、変更することができる。
【符号の説明】
【００３８】
１    鍵盤装置
２    鍵
１１    筬前
１４    フロントピン
５１    筬前成形品
５２    本体部
５２ａ  ピン孔
５３    左連結部
５４    右連結部
５５    溝
５６    ねじ
５７    隙間
【図１】
0005797074.tif 000002
【図２】
0005797074.tif 000003
【図３】
0005797074.tif 000004